(57)【要約】【課題】ケーブルブッシュの大きさに関わらず、ケーブルブッシュの固定位置のばらつきを抑制する。【解決手段】軸心周りに溝が設けられた凹部３１を有するケーブルブッシュ３を固定するケーブルブッシュ固定構造において、凹部３１が挿入されてケーブルブッシュ３と係合する切欠部４１を有するシャーシ４と、切欠部４１に挿入された凹部３１を当該切欠部４１とともに挟み込む突出部５１を有するホルダ５と、切欠部４１に設けられ、当該切欠部４１に挿入された凹部３１と当接する当該凹部３１の側辺３１２に対して傾斜した斜辺部４１４，４１５とを備えた。【選択図】図７
2015142040.tif 000002
【特許請求の範囲】
【請求項１】
軸心周りに溝が設けられた凹部を有するケーブルブッシュを固定するケーブルブッシュ固定構造において、
前記凹部が挿入されて前記ケーブルブッシュと係合する切欠部を有するシャーシと、
前記切欠部に挿入された前記凹部を当該切欠部とともに挟み込む突出部を有するホルダと、
前記切欠部に設けられ、当該切欠部に挿入された前記凹部と当接する当該凹部の当接辺に対して傾斜した斜辺部と、
を備えたことを特徴とするケーブルブッシュ固定構造。
【請求項２】
前記シャーシおよび前記ホルダには、前記突出部の動作方向を前記凹部の挿入方向に規制する位置調整機構が設けられた
ことを特徴とする請求項１記載のケーブルブッシュ固定構造。
【請求項３】
請求項１記載のケーブルブッシュ固定構造を備えた
ことを特徴とする映像記録装置。
【発明の詳細な説明】
【技術分野】
【０００１】
この発明は、電源ケーブルのケーブルブッシュを固定するケーブルブッシュ固定構造、および当該ケーブルブッシュ固定構造を備えた映像記録装置に関するものである。
【背景技術】
【０００２】
従来から、映像記録装置に搭載された電源ケーブルのケーブルブッシュを固定するケーブルブッシュ固定構造として、映像記録装置のシャーシとホルダとで挟み込むものが知られている（例えば特許文献１参照）。この特許文献１に開示されたケーブルブッシュ固定構造では、シャーシにケーブルブッシュの凹部を挿入するための１辺が開放された切欠部が設けられ、ホルダに当該ケーブルブッシュの凹部と当接する突出部が設けられている。そして、シャーシの切欠部にケーブルブッシュの凹部を挿入し、その後、ホルダの突出部を当該切欠部の開放辺側から挿入してケーブルブッシュの凹部を押圧し、シャーシとホルダとを固定する。これにより、ケーブルブッシュの弾性を用いて当該ケーブルブッシュを固定することができる。
【先行技術文献】
【特許文献】
【０００３】
【特許文献１】実開平６−３８２８７号公報
【発明の概要】
【発明が解決しようとする課題】
【０００４】
しかしながら、特許文献１に開示された従来のケーブルブッシュ固定構造では、ケーブルブッシュの大きさにより、当該ケーブルブッシュとホルダ間の弾性が変動し、当該ケーブルブッシュの固定位置が変動するという課題がある。その結果、ケーブルブッシュの脱落やケーブルの磨耗などが発生する恐れがある。
【０００５】
この発明は、上記のような課題を解決するためになされたもので、ケーブルブッシュの大きさに関わらず、ケーブルブッシュの固定位置のばらつきを抑制することができるケーブルブッシュ固定構造および映像記録装置を提供することを目的としている。
【課題を解決するための手段】
【０００６】
この発明に係るケーブルブッシュ固定構造は、軸心周りに溝が設けられた凹部を有するケーブルブッシュを固定するケーブルブッシュ固定構造において、凹部が挿入されてケーブルブッシュと係合する切欠部を有するシャーシと、切欠部に挿入された凹部を当該切欠部とともに挟み込む突出部を有するホルダと、切欠部に設けられ、当該切欠部に挿入された凹部と当接する当該凹部の当接辺に対して傾斜した斜辺部とを備えたものである。
【発明の効果】
【０００７】
この発明によれば、上記のように構成したので、ケーブルブッシュの大きさに関わらず、ケーブルブッシュの固定位置のばらつきを抑制することができる。
【図面の簡単な説明】
【０００８】
【図１】この発明の実施の形態１に係る映像記録装置の全体構成を示す斜視図である。
【図２】この発明の実施の形態１に係る映像記録装置の全体構成を示す背面図である。
【図３】この発明の実施の形態１に係るケーブルブッシュ固定構造の構成を示す背面側から見た斜視図である。
【図４】この発明の実施の形態１に係るケーブルブッシュの構成を示す側面図である。
【図５】図４のイ−イ線断面をイの方向より見た図である。
【図６】この発明の実施の形態１におけるシャーシのケーブルブッシュ固定構造に関わる構成を示す図である。
【図７】この発明の実施の形態１におけるシャーシの切欠部とケーブルブッシュとの関係を示す図である。
【図８】この発明の実施の形態１におけるホルダのケーブルブッシュ固定構造に関わる構成を示す図である。
【図９】この発明の実施の形態１に係るケーブルブッシュ固定構造の固定手順を説明する図である。
【図１０】この発明の実施の形態１に係るケーブルブッシュ固定構造の固定手順を説明する図である。
【図１１】この発明の実施の形態１に係るケーブルブッシュ固定構造において、寸法の小さなケーブルブッシュを固定した場合を示す図である。
【図１２】この発明の実施の形態１に係るケーブルブッシュ固定構造において、寸法の大きなケーブルブッシュを固定した場合を示す図である。
【図１３】図２に示すア−ア線断面をアの方向より見た図である。
【図１４】この発明の実施の形態２に係るケーブルブッシュ固定構造の構成および固定手順を説明する図である。
【図１５】この発明の実施の形態２に係るケーブルブッシュ固定構造において、寸法の異なるケーブルブッシュを固定した場合を示す図である。
【図１６】この発明の実施の形態３におけるシャーシのケーブルブッシュ固定構造に関わる構成を示す図である。
【図１７】この発明の実施の形態３に係るケーブルブッシュ固定構造によるケーブルブッシュの固定を説明する図である。
【発明を実施するための形態】
【０００９】
以下、この発明の実施の形態について図面を参照しながら詳細に説明する。
実施の形態１．
図１はこの発明の実施の形態１に係る映像記録装置１の全体構成を示す斜視図であり、図２は背面図であり、図３はケーブルブッシュ固定構造の構成を示す背面側から見た斜視図である。
映像記録装置１には、図１〜３に示すように、外部より電源を供給するための電源ケーブル２が搭載されている。そして、映像記録装置１には、この電源ケーブル２のケーブルブッシュ３を固定するためのケーブルブッシュ固定構造が設けられている。このケーブルブッシュ固定構造は、映像記録装置１のシャーシ４とホルダ５とから構成されている。
【００１０】
まず、電源ケーブル２のケーブルブッシュ３の構成について、図４，５を参照しながら説明する。
ケーブルブッシュ３は、図４，５に示すように、軸心周りに溝が設けられ、シャーシ４とホルダ５とにより挟み込まれることでケーブルブッシュ３を固定するための凹部３１を有している。なお、実施の形態１における凹部３１は、図５に示すように矩形状に構成されている。
【００１１】
次に、映像記録装置１のシャーシ４のケーブルブッシュ固定構造に関わる構成について、図６，７を参照しながら説明する。
シャーシ４には、図６に示すように、ケーブルブッシュ３の凹部３１が挿入されて当該ケーブルブッシュ３と係合するための、１辺（図では左端側）が開放された切欠部４１が設けられている。また、切欠部４１には、上辺４１１と側辺４１２との間に斜辺部４１４が設けられ、また、下辺４１３と側辺４１２との間に斜辺部４１５が設けられている。この切欠部４１の大きさは、図７に示すように、上辺４１１がケーブルブッシュ３の外周上辺３２１と凹部３１の上辺３１１との間に位置し、側辺４１２がケーブルブッシュ３の外周側辺３２２と凹部３１の側辺３１２との間に位置し、下辺４１３がケーブルブッシュ３の外周下辺３２３と凹部３１の下辺３１３との間に位置するような大きさに構成されている。また、図６に示すように、シャーシ４には、ホルダ５の動作方向を左右方向（凹部３１の挿入方向）に規制するための凸部４２と、シャーシ４とホルダ５とを固定するための固定穴４３が設けられている。
【００１２】
次に、映像記録装置１のホルダ５のケーブルブッシュ固定構造に関わる構成について、図８を参照しながら説明する。
ホルダ５は、図８に示すように、切欠部４１に挿入されたケーブルブッシュ３の凹部３１を当該切欠部４１とともに挟み込む突出部５１を有している。また、ホルダ５には、シャーシ４の凸部４２を摺動可能とし、ホルダ５の動作方向を左右方向（凹部３１の挿入方向）に規制する長穴５２と、シャーシ４とホルダ５とを固定するための固定長穴５３とが設けられている。
なお、シャーシ４の凸部４２とホルダ５の長穴５２は、本発明の「前記突出部の動作方向を前記凹部の挿入方向に規制する位置調整機構」に相当する。
【００１３】
次に、上記のように構成されたケーブルブッシュ固定構造によるケーブルブッシュ３の固定手順について、図９，１０を参照しながら説明する。
ケーブルブッシュ３を映像記録装置１に固定する場合、まず、ケーブルブッシュ３の側辺３１２とシャーシ４の切欠部４１の側辺４１２、かつ、ケーブルブッシュ３の上辺３１１と切欠部４１の上辺４１１（またはケーブルブッシュ３の下辺３１３と切欠部４１の下辺４１３）をそれぞれ平行に保つ。そして、図９の矢印Ａの方向に従い、ケーブルブッシュ３の凹部３１を、シャーシ４の切欠部４１の斜辺部４１４，４１５に当接するまで挿入する。
【００１４】
次いで、ホルダ５の長穴５２の内部にシャーシ４の凸部４２が位置するように、ホルダ５をシャーシ４に係合させる。そして、図１０の矢印Ｂの方向に従い、ホルダ５を、突出部５１がケーブルブッシュ３の凹部３１に当接するまで動かす。そして、シャーシ４の固定穴４３とホルダ５の固定長穴５３とをネジ等により固定して、シャーシ４とホルダ５とを固定する。これにより、ホルダ５の突出部５１がケーブルブッシュ３の凹部３１を押圧してシャーシ４の切欠部４１とともに挟み込んで保持することができ、ケーブルブッシュ３を映像記録装置１に固定することができる。
【００１５】
ここで、図１１，１２に示すように、ケーブルブッシュ３の凹部３１の大きさが変動した場合であっても、凹部３１の側辺３１２とシャーシ４の斜辺部４１４，４１５が当接することで、ケーブルブッシュ３の上下方向への位置の移動を規制することができる。なお図１１，１２において、左図はケーブルブッシュ３（不図示）を固定した際のシャーシ４とホルダ５との位置関係を示し、右図はケーブルブッシュ３の凹部３１とシャーシ４の切欠部４１との当接関係を示している。また、ケーブルブッシュ３の凹部３１とシャーシ４の斜辺部４１４，４１５およびホルダ５の突出部５１が当接することで、ケーブルブッシュ３の左右方向への位置の移動を規制することができる。また、ケーブルブッシュ３の凹部３１の大きさが変動した場合であっても、図１３に示すように、ケーブルブッシュ３が切欠部４１およびホルダ５の突出部５１にかかっており、矢印Ｃ方向へのケーブルブッシュ３の脱落を防止することができる。
【００１６】
以上のように、この実施の形態１によれば、シャーシ４の切欠部４１に、当該切欠部４１に挿入された凹部３１と当接する当該凹部３１の当接辺（側辺３１２）に対して傾斜した斜辺部４１４，４１５を設けるように構成したので、ケーブルブッシュ３の大きさに関わらず、ケーブルブッシュ３とシャーシ４・ホルダ５間の隙間を減少させて、上下左右方向へのケーブルブッシュ３の位置の移動を規制して固定することができる。その結果、ケーブルブッシュ３の脱落や電源ケーブル２の磨耗の可能性を減少させることができる。
【００１７】
実施の形態２．
実施の形態１では、ケーブルブッシュ３が矩形状の凹部３１を有する場合について示した。それに対して、実施の形態２では、ケーブルブッシュ３が円形状の凹部３１ｂを有する場合について示す。
図１４はこの発明の実施の形態２に係るケーブルブッシュ固定構造の構成および固定手順を説明する図である。図１４に示す実施の形態２に係るケーブルブッシュ固定構造は、図６に示す実施の形態１におけるシャーシ４の切欠部４１の形状を変更したものである。その他の構成は同様であり、同一の符号を付してその説明を省略する。
【００１８】
実施の形態２における切欠部４１では、実施の形態１における切欠部４１の凹部３１との当接側にある側辺４１２がなくなり、当該当接側が斜辺部４１４ｂ，４１５ｂの２辺から構成されている。
【００１９】
次に、上記のように構成されたケーブルブッシュ固定構造によるケーブルブッシュ３の固定手順について、図１４を参照しながら説明する。
ケーブルブッシュ３を映像記録装置１に固定する場合、まず、ケーブルブッシュ３を切欠部４１に対向させる。そして、図１４の矢印Ｄの方向に従い、ケーブルブッシュ３の凹部３１ｂを、シャーシ４の切欠部４１の斜辺部４１４ｂ，４１５ｂに当接するまで挿入する。
【００２０】
次いで、ホルダ５の長穴５２の内部にシャーシ４の凸部４２が位置するように、ホルダ５をシャーシ４に当接させる。そして、図１４の矢印Ｅの方向に従い、ホルダ５を、突出部５１がケーブルブッシュ３の凹部３１ｂに当接するまで動かす。そして、シャーシ４の固定穴４３とホルダ５の固定長穴５３とをネジ等により固定して、シャーシ４とホルダ５とを固定する。これにより、ホルダ５の突出部５１がケーブルブッシュ３の凹部３１ｂを押圧してシャーシ４の切欠部４１とともに挟み込んで保持することができ、ケーブルブッシュ３を映像記録装置１に固定することができる。
【００２１】
ここで、図１５に示すように、ケーブルブッシュ３の凹部３１ｂの大きさが変動した場合であっても、凹部３１ｂとシャーシ４の斜辺部４１４ｂ，４１５ｂが当接することで、ケーブルブッシュ３の上下方向への位置の移動を規制することができる。また、ケーブルブッシュ３の凹部３１ｂとシャーシ４の斜辺部４１４ｂ，４１５ｂおよびホルダ５の突出部５１が当接することで、ケーブルブッシュ３の左右方向への位置の移動を規制することができる。また、ケーブルブッシュ３の凹部３１ｂの大きさが変動した場合であっても、ケーブルブッシュ３が切欠部４１およびホルダ５の突出部５１にかかっており、ケーブルブッシュ３の脱落を防止することができる。
【００２２】
以上のように、この実施の形態２によれば、ケーブルブッシュ３の凹部３１ｂの形状が円形状の場合であっても、シャーシ４の切欠部４１に斜辺部４１４ｂ，４１５ｂを設けて、ケーブルブッシュ３の凹部３１ｂの２点と当接させるように構成したので、ケーブルブッシュ３の大きさに関わらず、ケーブルブッシュ３とシャーシ４・ホルダ５間の隙間を減少させて、上下左右方向へのケーブルブッシュ３の位置の移動を規制して固定することができる。その結果、ケーブルブッシュ３の脱落や電源ケーブル２の磨耗の可能性を減少させることができる。
【００２３】
実施の形態３．
図１６はこの発明の実施の形態３におけるシャーシ４のケーブルブッシュ固定構造に関わる構成を示す図である。この図１６に示す実施の形態３におけるシャーシ４の切欠部４１は、図６に示す実施の形態１における切欠部４１の一方の斜辺部（図１６では斜辺部４１５）を削除したものである。その他の構成は同様であり、同一の符号を付してその説明を省略する。
【００２４】
また、図１７に示すように、上記のように構成されたケーブルブッシュ固定構造によるケーブルブッシュ３の固定は、ケーブルブッシュ３の凹部３１をシャーシ４の切欠部４１に挿入した際に凹部３１の側辺３１２が切欠部４１の斜辺部４１４のみに当接する点以外は実施の形態１と同様である。
【００２５】
以上のように、この実施の形態３によれば、シャーシ４の切欠部４１に１つの斜辺部４１４を設けるように構成しても、ケーブルブッシュ３の大きさに関わらず、ケーブルブッシュ３とシャーシ４・ホルダ５間の隙間を減少させて、上下左右方向へのケーブルブッシュ３の位置の移動を規制して固定することができる。その結果、ケーブルブッシュ３の脱落や電源ケーブル２の磨耗の可能性を減少させることができる。
【００２６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２７】
１  映像記録装置、２  電源ケーブル、３  ケーブルブッシュ、４  シャーシ、５  ホルダ、３１，３１ｂ  凹部、４１  切欠部、４２  凸部、４３  固定穴、５１  突出部、５２  長穴、５３  固定長穴、３１１，４１１  上辺、３１２，３１４，４１２  側辺、３１３，４１３  下辺、３２１  外周上辺、３２２，３２４  外周側辺、３２３  外周下辺、４１４，４１４ｂ，４１５，４１５ｂ  斜辺部。
【図１】
2015142040.tif 000003
【図２】
2015142040.tif 000004
【図３】
2015142040.tif 000005
【図４】
2015142040.tif 000006
【図５】
2015142040.tif 000007
【図６】
2015142040.tif 000008
【図７】
2015142040.tif 000009
【図８】
2015142040.tif 000010
【図９】
2015142040.tif 000011
【図１０】
2015142040.tif 000012
【図１１】
2015142040.tif 000013
【図１２】
2015142040.tif 000014
【図１３】
2015142040.tif 000015
【図１４】
2015142040.tif 000016
【図１５】
2015142040.tif 000017
【図１６】
2015142040.tif 000018
【図１７】
2015142040.tif 000019